(57)【要約】【課題】  磁気テープ良好な巻姿で巻装することができる磁気テープカセットを提供する。【解決手段】  上ハーフ１２と下ハーフ１３とを蓋合わせ状に結合して形成したカセットケース１１と、カセットケース１１内に回転可能に配され、磁気テープ１５を巻回した一対の巻取ハブ１４と、巻取ハブ１４の上下に配置されたシート１６，１７とを備え、シート１６，１７のうちの少なくとも一方に、巻取ハブ１４側に突設されたシボリ部２７，３０が設けられ、該シボリ部２７，３０が巻取ハブ１４と接触する位置からシート１６，１７の周縁側に向って放射状に形成されている。【選択図】  図１
2005235274.tif 000002
【特許請求の範囲】
【請求項１】
上ハーフと下ハーフとを蓋合わせ状に結合して形成したカセットケースと、
前記カセットケース内に回転可能に配され、磁気テープを巻回した一対の巻取ハブと、
前記巻取ハブの上下に配置されたシートとを備え、
前記シートのうちの少なくとも一方に、前記巻取ハブ側に突設されたシボリ部が設けられ、該シボリ部が前記巻取ハブと接触する位置から前記シートの周縁側に向って放射状に形成されていることを特徴とする磁気テープカセット。
【請求項２】
前記シボリ部が、前記巻取ハブと接触する位置から前記シートの周縁側に向って高さが低くなるように形成されていることを特徴とする請求項１に記載した磁気テープカセット。
【請求項３】
前記シボリ部が、磁気テープを走行させる走行パス領域に設けられていないことを特徴とする請求項１又は２に記載の磁気テープカセット。
【発明の詳細な説明】
【技術分野】
【０００１】
本発明は、磁気テープカセットに関し、特に磁気テープの巻姿の改善できる磁気テープカセットに関する。
【背景技術】
【０００２】
従来のＤＤＳタイプの磁気テープカセットとしては、例えば、下記特許文献１に記載されたものがある。従来の磁気テープカセットを図５に示す。図５に示すように、従来の磁気テープカセット７０は、上ハーフ７１と下ハーフ７２とが蓋合わせ状に結合されており、その間に一対の巻取ハブ７３に巻回され、張架された磁気テープ７４が上下のシート７５，７６を介して収容されている。
【０００３】
上ハーフ７１には、カセット非使用時において、一対の巻取ハブ７３の間に張架された部分の磁気テープ７７を保護するため上ハーフ７１前面に前蓋７８が支軸７９を回転軸として回動可能に設けられている。
【０００４】
下ハーフ７２の底面８２の左右両端は前方に突き出るようにテープ出口部８３が形成され、テープ出口部８３には磁気テープ７４を張架するように円筒状のテープガイド８４がそれぞれ設けられている。
【０００５】
磁気テープカセット７０において、シート７５，７６には、一対の巻取ハブ７３側に突出するように賦形部８１が形成されている。シート７５，７６は、巻取ハブ７３が回転する際の摺動抵抗を下げ、回転を滑らかにするとともに、賦形部８０，８１により磁気テープ７４を巻回した巻取ハブ７３を支えて、その高さ規制をする。
【０００６】
【特許文献１】特開平１０−３３４６３３号公報
【発明の開示】
【発明が解決しようとする課題】
【０００７】
ところで、近年、ＤＤＳタイプの磁気テープカセットにおいて、記録容量を増大するため磁気テープの幅寸法を拡大する傾向にある。
【０００８】
すると、図５に示すような従来の磁気テープカセット７０は、磁気テープ７７の幅が増大した場合に磁気テープ７７を巻き取る際に、磁気テープ７７同士の間に侵入した空気の抜けが悪くなり、巻き姿が良好でなくなるおそれがある。巻き姿が良好でなくなると、磁気テープ７７の走行時に磁気テープ７７が幅方向に振動し、記録再生装置側の磁気ヘッドに正しく当接せず、適正な記録・再生が行われず、また、他の故障の原因となるおそれがある。
【０００９】
本発明は、上述した事情に鑑みてなされたものであり、その目的は、磁気テープ良好な巻姿で巻装することができる磁気テープカセットを提供することにある。
【課題を解決するための手段】
【００１０】
本発明の上記目的は、上ハーフと下ハーフとを蓋合わせ状に結合して形成したカセットケースと、カセットケース内に回転可能に配され、磁気テープを巻回した一対の巻取ハブと、巻取ハブの上下に配置されたシートとを備え、シートのうちの少なくとも一方に、巻取ハブ側に突設されたシボリ部が設けられ、該シボリ部が巻取ハブと接触する位置からシートの周縁側に向って放射状に形成されていることを特徴とする磁気テープカセットによって達成される。
【００１１】
磁気テープカセットは、巻取ハブの上下に配置されたシートの上下のうちの少なくとも一方において、シボリ部が巻取ハブと接触する部位から放射状に形成されている。磁気テープの走行時に、磁気テープが巻取ハブの外周面に巻き重ねられていくときに、磁気テープは、巻取ハブの径方向延長線上の外側から内側に沿って移動する際に、該磁気テープの端（幅方向における端部）がシボリ部の先端部と摺動しつつ該巻取ハブの外周面に巻装される。このとき、巻き取られる磁気テープが、放射状のシボリ部との接触抵抗が、従来のようなシート上に直線状に形成されたシボリ部（図５参照）に比較して、より均一になる。このため、巻き取られる磁気テープ同士の間に空気が入り込みにくくなり、巻取ハブに磁気テープを良好な巻姿で巻装させることができる。
特に、磁気テープの幅寸法が大きくなる場合、巻取ハブの径方向に配されたシボリ部により、磁気テープ間に侵入した空気が効率良く抜け、安定した巻取りが行われることによって、巻姿を良好な状態に維持することができる。なお、シボリ部は、シートの上下のうちの少なくとも一方でもよいが、上下の両方に形成されていることがより好ましい。
【００１２】
上記磁気テープカセットは、シボリ部が、巻取ハブと接触する位置からシートの周縁側に向って高さが低くなるように形成されていることが好ましい。
【００１３】
シボリ部が、巻取ハブの中心から外周側に行くに従って高さが低く形成され、巻取ハブによって磁気テープを巻取る際に、磁気テープが巻取ハブの中心側に位置規制されることで、磁気テープをより良好な巻姿で巻装できる。
【００１４】
シボリ部が、磁気テープを走行させる走行パス領域に設けられていないことが好ましい。
【００１５】
走行する磁気テープがシボリ部と接触することに起因して、巻取ハブに巻き取られる際に磁気テープが幅方向に振れてしまうことを防止することができる。
【発明の効果】
【００１６】
本発明によれば、磁気テープ良好な巻姿で巻装することができる磁気テープカセットを提供できる。
【発明を実施するための最良の形態】
【００１７】
以下、本発明に係る実施の形態例を図面に基づいて詳細に説明する。図１は、本発明に係る磁気テープカセットの一実施形態の概略構成を示す斜視分解図である。図２は、図１に示す磁気テープカセットにおける下側のシートの平面図である。図３（ａ）は、図２に示すシートのＡ−Ａ線断面図である。
【００１８】
図１に示すように、磁気テープカセット１０は、上ハーフ１２と下ハーフとを蓋合わせ状に結合されてカセットケース１１とを有している。また磁気テープカセット１０は、一対の巻取ハブ１４と、これら一対の巻取ハブ１４に巻装された磁気テープ１５とを備えている。
【００１９】
磁気テープカセット１０は、磁気テープ１５を巻回した一対の巻取ハブ１４を回転可能に上ハーフ１２と下ハーフ１３とを蓋合わせ状に結合したカセットケース１１内に収納している。また、一対の巻取ハブ１４の間の磁気テープ１５を所定の経路を通って張架し、図示しない記録再生装置の磁気ヘッドの位置に対応する磁気テープ１５の張り出し部分１８のみが外部に露出可能となるように構成されている。
【００２０】
上ハーフ１２には、露出可能となる磁気テープ１５の張り出し部分１８の磁性層面に手指が接触したり塵埃が付着したりするのを防止するため、磁気テープ１５の張り出し部分１８を覆う閉位置と、露出させる開位置との間で開閉可能な蓋１９が設けられている。
【００２１】
下ハーフ１３は、略長方形状の底面２０を有している。下ハーフ１３の底面２０には、巻取ハブ１４を回転可能に支持するとともに、記録再生装置に磁気テープカセット１０を装填したときに、記録再生装置側から図示しないリール軸を巻取ハブ１４に挿入して回転駆動するためのリール軸挿入孔２１が形成されている。
【００２２】
リール軸挿入孔２１に巻取ハブ１４が挿入された状態で、底面２０における巻取ハブ１４の外周部分と、上ハーフ１２及び下ハーフ１３の間の空間が巻取ハブ１４に巻き取られた磁気テープ１５が収容される磁気テープ収容部２２になっている。
【００２３】
底面２０の左右両端は、前方に伸びていて磁気テープ出入口である張出し部２３になっており、張出し部２３同士の間の空間には、磁気テープカセット１０の記録再生時に記録再生装置側から磁気ヘッドが進入する。
【００２４】
巻取ハブ１４の上端部に歯部２４，２４が一体的に形成されている。歯部２４に上ハーフ１２に組み込まれた図示しないブレーキ部材が係合することにより、磁気テープ１５の巻き緩み方向への回転を規制し、非使用時の磁気テープカセット１０の取り扱いや運搬における振動や衝撃等によって磁気テープ１５にたるみが生じることが防止できる。
【００２５】
磁気テープの走行時には、記録再生装置側から巻取ハブ１４の中心軸に開孔されたリール軸連結孔に駆動軸が挿入されて、巻取ハブ１４が回転駆動され、一方の巻取ハブ１４に磁気テープ１５を巻き取ることによって他方の巻取ハブ１４から繰り出された磁気テープ１５が、磁気テープ１５の張り出し部分１８において記録再生装置の磁気ヘッドに当接して移動し、磁気テープ１５に情報を記録し、あるいは磁気テープ１５から情報を再生する。
【００２６】
巻取ハブ１４の上側及び下側には、磁気テープ１５の走行時に走行する磁気テープ１５と上ハーフ１２や下ハーフ１３等のカセットケースにおける部位との接触を回避するとともに、巻取ハブ１４に巻き取られる磁気テープ１５の位置を規制するためのシート１６，１７がそれぞれ配置されている。上側のシート１６は、上ハーフ１２と磁気テープ１５との間に配置され、巻取ハブ１４に巻回される磁気テープ１５の最大巻径と略同一又はわずかに大きい寸法であって、巻取ハブ１４の上端部２４に対応する位置に孔２６がそれぞれ形成されている。
【００２７】
上側のシート１６には、孔２６のそれぞれから周縁部にわたって、放射状に複数（本実施形態では４個）のシボリ部２７が形成されている。シボリ部２７は、巻取ハブ１４に巻き取られている磁気テープ１５側（図１において下方側）に突出するように形成されている。
【００２８】
下側のシート１７は、上側のシート１６と同じ形状を有し、磁気テープ１５と下ハーフ１３との間に配置されている。シート１７には、下ケース１３のリール軸挿入孔２１及び巻取ハブ１４の下端部に対応する位置に孔２９が形成されている。
【００２９】
下側のシート１７には、孔２９から周縁部までの間に、放射状に配された複数のシボリ部３０が形成されている。シボリ部３０は、巻取ハブ１４に巻き取られている磁気テープ１５側（図１において上方側）に突出するように形成されている。
【００３０】
上側のシート１６，１７は、磁気テープ１５との滑り性、弾力性の観点からポリエチレン（ＰＥ）、特に高密度ＰＥで形成されるのが好ましく、多孔質シートであってもよい。
【００３１】
本実施形態の磁気テープカセット１０は、巻取ハブ１４の上下に配置された上下のシート１６，１７に、シボリ部２７，３０が巻取ハブ１４と接触する部位から放射状に形成されている。磁気テープ１５の走行時に、磁気テープ１５が巻取ハブ１４の外周面に巻き重ねられていくときに、磁気テープ１５は、巻取ハブ１４の径方向延長線上の外側から内側に沿って移動し、該磁気テープ１５の端（幅方向における端部）がシボリ部２７，３０の先端部と摺動しつつ該巻取ハブ１４の外周面に巻装される。このとき、巻き取られる磁気テープ１５が、放射状のシボリ部２７，３０との接触抵抗が、従来のようなシートに直線状に形成されたシボリ部（図５参照）に比較して、より均一になる。このため、巻き取られる磁気テープ同士の間に空気が入り込みにくくなり、巻取ハブ１４に磁気テープ１５を良好な巻姿で巻装させることができる。
【００３２】
特に、より幅寸法が大きい磁気テープを備えた磁気テープカセット場合、巻取ハブ１４の径方向に配されたシボリ部により、磁気テープ同士の間に侵入した空気が効率良く抜け、安定した巻取りが行われることによって、巻姿を良好な状態に維持することができる。
【００３３】
本実施形態において、上下のシート１６，１７の両方に放射状のシボリ部２７，３０を形成したが、上側のシート１６，下側のシート１７のうちいずれか一方にシボリ部を形成してもよい。特に、巻取ハブ１４や磁気テープ１５の荷重のかかりやすい下側のシート１７に放射状のシボリ部を形成することが好ましい。しかし、上側のシート１６，下側のシート１７の両方に放射状のシボリ部を形成することがより好ましい。
【００３４】
ここで、シート１６，１７に形成されたシボリ部２７，３０が、シート上における、磁気テープ出入口２３と巻取ハブ１４との間で磁気テープが走行する走行パス領域（図２に示す領域Ｐ）には、シボリ部２７，３０を設けないことが好ましい。これは、走行する磁気テープがシボリ部と接触することに起因して、巻取ハブ１４に巻き取られる際に磁気テープ１５が幅方向に振れるのを防止するためである。
【００３５】
次に、本実施形態の磁気テープカセットの変形例を説明する。図３（ｂ）は、図２に示すシートのＢ−Ｂ線断面図である。図４は、図３に示すシートを有する磁気テープカセットの断面図である。
図３（ａ）に示すように、シート１７のシボリ部３０は、放射方向における孔２９側で、シート本体２８の上面に対するシボリ部３０の高さ（突出量）をｈ１とする。図３（ｂ）に示すように、放射方向におけるシート周縁側でシート本体２８の上面に対するシボリ部３０の高さ（突出量）ｈ２とする。このとき、シボリ部の高さは、孔２９側の高さｈ１が周縁側の高さｈ２よりも高く構成されている。言い換えると、各シボリ３０は、シート１７において、巻取ハブ１４と接触する部位から周縁側に向けて高さが小さく傾斜するようなテーパ形状を有している。また、図示しないが、上側のシート１６のシボリ部２７も同様に巻取ハブ１４と接触する部位から周縁側に向けて高さが小さく傾斜するようなテーパ形状を有している。
【００３６】
図４に示すように、巻取ハブ１４の上側，下側に組み付けられたシート１６，１７において、シボリ部２７，３０が巻取ハブ１４とから外周側に行くに従って高さが低く形成されているために、シボリ部２７とシボリ部３０との間隔が、巻取ハブ１４側で狭く、巻取ハブ１４の外周側へいくほど大きくなっている。このため、巻取ハブ１４によって磁気テープ１５を巻取る際に、磁気テープ１５がシボリ部２７とシボリ部３０に摺動しつつ巻取ハブ１４側に案内されるとともに、巻取ハブ１４の高さ方向（図４における上下方向）における中心側に位置規制されることで巻き姿を確実に良好にすることができる。
【００３７】
なお、本発明は、前述した実施形態に限定されるものではなく、適宜、変形、改良等が可能である。
例えば、シボリ部の形状は、図示した断面視コ字形状に限定されず、断面視半円形状や三角形状であってもよい。
【図面の簡単な説明】
【００３８】
【図１】本発明に係る磁気テープカセットの一実施形態を示す斜視分解図である。
【図２】図１に示した磁気テープカセットに用いられるシートの平面図である。
【図３】（ａ）は図２のＡ−Ａ線断面図であり、（ｂ）は図２のＢ−Ｂ線断面図である。
【図４】図３に示すシートを有する磁気テープカセットの断面図である。
【図５】従来の磁気テープカセットの構成を示す分解斜視図である。
【符号の説明】
【００３９】
１０        磁気テープカセット
１１        カセットケース
１２        上ハーフ
１３        下ハーフ
１４        巻取ハブ
１５        磁気テープ
１６        上側のシート
１７        下側のシート
２２        磁気テープ収容部
２３        張出し部
２７，３０  シボリ部
【図１】
2005235274.tif 000003
【図２】
2005235274.tif 000004
【図３】
2005235274.tif 000005
【図４】
2005235274.tif 000006
【図５】
2005235274.tif 000007